(57)【要約】【課題】光漏れを防止するとともに衝撃音を低減し、かつ通気量を多くできるドア開口構造を提供すること。【解決手段】扉１５を閉じたときの衝撃音を上枠１３に取り付けた光漏れ防止枠１８のパッキン１９とストライク２０に設けた戸当たり部２１ｂのゴム板２３によって低減する。上枠１３と光漏れ防止枠１８との間に上下段違いの通気通路ｓ１，ｓ２，ｓ３を形成し、扉１５を閉じたとき上枠１３と扉１５の間の光漏れを防止するとともにも、通気性を確保する。加えて、縦枠１２と扉１５の側端部の間はゴム板２３の部分を除いて空気の通る隙間が形成されるので、縦枠全体にパッキンを取り付けた従来のドア開口構造に比べ大幅に通気量を高める。【選択図】  図２
2004293168.tif 000002
【特許請求の範囲】
【請求項１】
ドア開口の上端部にドア上枠を固定し、ドア開口の左右両端部にドア縦枠を固定し、一方のドア縦枠にヒンジで扉を開閉可能に組み付け、他方の縦枠にドアラッチが係合するストライクを固定し、ドア上枠と両縦枠に光漏れ防止枠を取り付けたドア開口構造であって、前記ドア上枠と前記光漏れ防止枠との間に互いに連通した上下段違いの通気通路が形成されるように該光漏れ防止枠を前記ドア上枠から垂れ下げて取り付けるとともに、該光漏れ防止枠の扉を閉じたとき扉の端部が当たる戸当たり部に衝撃音低減用弾性材を固着し、かつ前記ストライクに扉を閉じたとき扉の端部が当たる戸当たり部を設け、該戸当たり部に衝撃音低減用弾性材を固着したことを特徴とするドア開口構造。
【発明の詳細な説明】
【０００１】
【発明の属する技術分野】
本発明はドア開口構造に関する。
【０００２】
【従来の技術】
ドア開口構造の一形式として、ドア開口の上端部にドア上枠を固定し、ドア開口の左右両端部にドア縦枠を固定し、一方のドア縦枠にヒンジで扉を開閉可能に組み付け、他方の縦枠にドアラッチが係合するストライクを固定し、ストライク側の縦枠に戸当たり枠を固定し、ドア上枠とヒンジ側の縦枠に光漏れ防止枠を固定し、戸当たり枠に扉を閉じたとき戸当たり枠に扉が当たって発生する衝撃音を低減するためパッキンを取り付けた構造が知られている。
【０００３】
【発明が解決しようとする課題】
上記した従来のドア開口構造では、扉を閉じたとき上枠の光漏れ防止枠と扉の上端部との間の隙間及びヒンジ側の光漏れ防止枠と扉の側端部との間の隙間は空気が通るものの、ストライク側の縦枠に固定した戸当たり枠と扉の側端部との隙間は衝撃音低減用パッキンによって塞がれるため空気が流れない。
本発明はかかる点に鑑み、光漏れを防止するとともに衝撃音を低減し、かつ通気量を多くできるドア開口構造を提供することを目的とする。
【０００４】
【課題を解決するための手段】
上記目的を達成するため本発明は、ドア開口の上端部にドア上枠を固定し、ドア開口の左右両端部にドア縦枠を固定し、一方のドア縦枠にヒンジで扉を開閉可能に組み付け、他方の縦枠にドアラッチが係合するストライクを固定し、ドア上枠と両縦枠に光漏れ防止枠を取り付けたドア開口構造であって、前記ドア上枠と前記光漏れ防止枠との間に互いに連通した上下段違いの通気通路が形成されるように該光漏れ防止枠を前記ドア上枠から垂れ下げて取り付けるとともに、該光漏れ防止枠の扉を閉じたとき扉の端部が当たる戸当たり部に衝撃音低減用弾性材を固着し、かつ前記ストライクに扉を閉じたとき扉の端部が当たる戸当たり部を設け、該戸当たり部に衝撃音低減用弾性材を固着したことを特徴とする。
【０００５】
【発明の作用・効果】
本発明に係るドア開口構造によれば、扉を閉じたときの衝撃音を上枠に取り付けた光漏れ防止枠の弾性材とストライクに設けた戸当たり部の弾性材によって低減できる。上枠と光漏れ防止枠との間に上下段違いの通気通路を形成したので、扉を閉じたとき上枠と扉の間の光漏れを防止するとともにも、通気性を確保できる。加えて、ストライク側の縦枠と扉の側端部の間は弾性材の部分を除いて空気の通る隙間が形成されるので、ストライク側の縦枠の戸当たり枠に衝撃音低減用パッキンを取り付けた従来のドア開口構造に比べ大幅に通気量を高めることができる。
【０００６】
【発明の実施の形態】
以下に本発明を図面に基づき説明するに、図１には本発明の一実施形態に係るドア開口構造１０が示されている。当該ドア開口構造１０は、ドア開口の両側縁に固定した縦枠１１，１２と、ドア開口の上端部に固定した上枠１３、ヒンジ１４で一方の縦枠１１に開閉可能に組み付けた扉１５からなり、扉１５の反ヒンジ側の端部にドアハンドル１６が組み付けられている。
【０００７】
縦枠１２には図２に示すように、ドアハンドル１６に連動して出入りするドアラッチ（図示略）が扉を閉じたときに係合するストライク２０が固着されている。図２及び図３に示すように、このストライク２０はベースプレート２１とベースプレート２１の裏側に固着した係合穴部２２から成り、係合穴部２２はベースプレート２１中央の開口２１ａに連通している。ベースプレート２１の一端は折り曲げられて戸当たり部２１ｂを形成し、戸当たり部２１ｂに衝撃音低減用弾性材としてゴム板２３が貼り付けられている。このベースプレート２０は縦枠１２に形成した凹部に係合穴部２２を嵌合し、ビス２４で縦枠１２に固着されている。また、縦枠１２の内面中央部には下端部から上端部まで延びる縦溝１２ａが形成され、該縦溝１２ａにプラスチック製の光漏れ防止枠１７が嵌着されている。この光漏れ防止枠１７は縦枠１２の下端部から上端部まで延び、中間部はストライク２０のベーの戸当たり部２１ｂに接している。
【０００８】
上枠１３には図４及び図５に示すように光漏れ防止枠１８がビス２５で取り付けられている。上枠１３はアルミ成型品で、内面中央部に横溝１３ａが形成され、横溝の両側に凸条１３ｂ，１３ｃが形成されている。光漏れ防止枠１８は断面略Ｌ字形で、本体１８ａの一側に横溝１３ａより幅の狭い凸条１８ｂが形成されている。光漏れ防止枠１３は筒型スペーサー２６を填めたビス２５で上枠１３から垂れ下げられ、扉１５を閉じたとき、扉１５の上端部と上枠１３の凸条１３ｂ及び光漏れ防止枠１８の本体部分１８ａと上枠１３の凸条１３ｃで下側通気通路ｓ１，ｓ２が形成され、上枠１３の横溝１３ａの底面と光漏れ防止枠１８の凸条１８ｂで両下側通気通路ｓ１，ｓ２に連通する上側通気通路ｓ３が形成されるように取り付けられている。光漏れ防止枠１８の、扉１５を閉じたとき扉１５の端部が当たる戸当たり部には衝撃音低減用弾性材としてパッキン１９が貼着されている。
【０００９】
縦枠１１の内面中央部には図６に示すように、下端部から上端部まで延びる縦溝１１ａが形成され、該縦溝１１ａにプラスチック製の光漏れ防止枠１７が嵌着されている。この光漏れ防止枠１７は縦枠１１の下端部から上端部まで延びている。
【００１０】
本実施形態に係るドア開口構造１０は以上の通りであって、扉１５を閉じたときの衝撃音を上枠１３に取り付けた光漏れ防止枠１８のパッキン１９とストライク２０に設けた戸当たり部２１ｂのゴム板２３によって低減できる。上枠１３と光漏れ防止枠１８との間に上下段違いの通気通路ｓ１，ｓ２，ｓ３を形成したので、扉１５を閉じたとき上枠１３と扉１５の間の光漏れを防止するとともにも、通気性を確保できる。加えて、縦枠１２と扉１５の側端部の間はゴム板２３の部分を除いて空気の通る隙間が形成されるので、縦枠全体にパッキンを取り付けた従来のドア開口構造に比べ大幅に通気量を高めることができる。
【図面の簡単な説明】
【図１】本発明の一実施形態に係るドア開口構造を示す正面図である。
【図２】図１の２−２線から切断した部分断面図である。
【図３】本発明の一実施形態に係るドア開口構造に設けたストライクを示す正面図である。
【図４】図１の４−４線から切断した部分断面図である。
【図５】図１の５−５線から切断した部分断面図である。
【図６】図１の６−６線から切断した部分断面図である。
【符号の説明】
１０…ドア開口構造、１１，１２…縦枠、１３…上枠、１４…ヒンジ、１５…扉、１６…ドアハンドル、１７…光漏れ防止枠、１８…光漏れ防止枠、２０…ストライク、２１ｂ…戸当たり部、２３…ゴム板、ｓ１，ｓ２…下側通気通路、ｓ３…上側通気通路。
【図１】
2004293168.tif 000003
【図２】
2004293168.tif 000004
【図３】
2004293168.tif 000005
【図４】
2004293168.tif 000006
【図５】
2004293168.tif 000007
【図６】
2004293168.tif 000008